(57)【要約】第１の流体弁（１０）および第２の流体弁（２０）を含む流体連通のためのシステム（１００）を流体的に接続するための方法であって、第１の流体弁（１０）および第２の流体弁（２０）を提供するステップと、第１の管（６０）を提供するステップと、流体アセンブリ（１００）を形成するために、第１の管（６０）の各端部（６１、６２）を各流体弁（１０、２０）に挿入するステップと、２つの端部（２、３）を含む圧縮手段（１）を提供するステップと、前記圧縮手段（１）の前記２つの端部（２、３）を前記流体アセンブリ（１００）の両側に配置するステップと、圧縮手段（１）を介して前記流体アセンブリ（１００）へ圧縮力を印加するステップとを含む方法。【選択図】図２
2020506344.tif 000002
【特許請求の範囲】
【請求項１】
第１の方向Ｘに第１の流体弁（１０）と第２の流体弁（２０）とを流体的に接続するための方法であって、
ａ．前記第１の流体弁（１０）および第２の流体弁（２０）を提供するステップであって、
前記第１の流体弁（１０）は、それぞれが外側に向かう開口部（１１１、１１２）を有する少なくとも２つの第１のポート（１１、１２）を含み、
前記第２の流体弁（２０）は、それぞれが外側に向かう開口部（２２１、２２２）を有する少なくとも２つの第２のポート（２１、２２）を含むステップと、
ｂ．第１の端部（６１）と第２の端部（６２）とを有する第１の管（６０）を提供するステップであって、
前記第１の端部（６１）は、前記第１の流体弁（１０）の第１のポート（１１、１２）の開口部（１１１、１１２）に挿入するのに適しており、
前記第２の端部（６２）は、前記第２の流体弁（２０）の第２のポート（２１、２２）の開口部（２２１、２２２）に挿入するのに適しているステップと、
ｃ．流体アセンブリを形成するために、前記第１の管（６０）の前記第１の端部（６１）を前記第１の流体弁（１０）の第１のポート（１１、１２）の開口部（１１１、１１２）に挿入し、前記第１の管（６０）の前記第２の端部（６２）を前記第２の流体弁（２０）の第２のポート（２１、２２）の開口部（２２１、２２２）に挿入するステップと、
ｄ．２つの端部（２、３）を含む第１の圧縮手段（１）を提供するステップであって、前記第１の流体弁（１０）および第２の流体弁（２０）と前記第１の管（６０）とを含む前記流体アセンブリを前記２つの端部（２、３）間で前記第１の方向Ｘに圧縮するためのステップと、
ｅ．前記第１の方向Ｘにおいて前記第１の圧縮手段（１）の前記２つの端部（２、３）を前記流体アセンブリの両側に位置決めするステップと、
ｆ．前記第１の流体弁（１０）と前記第２の流体（２０）との間で前記第１の管（６０）を圧縮するために、前記第１の圧縮手段（１）を介して前記流体アセンブリに前記第１の方向Ｘと平行に圧縮力を印加するステップとを含む方法。
【請求項２】
前記第１の管（６０）の前記第１の端部（６１）および第２の端部（６２）が滑らかな外壁を有することを特徴とする請求項１に記載の方法。
【請求項３】
前記第１の管（６０）の前記第１の端部（６１）および第２の端部（６２）が滑らかであることを特徴とする請求項１〜２のいずれか１項に記載の方法。
【請求項４】
前記第１の圧縮手段（１）の前記２つの端部（２、３）は２つのプレートであり、
前記第１の圧縮手段（１）は、
前記第１および第２の流体弁（１０；２０）を受けるのに適した中空形材（４）と、
前記２つのプレートを前記中空形材（４）の２つの端部に固定するための固定手段（５）とをさらに含むことを特徴とする請求項１〜３のいずれか１項に記載の方法。
【請求項５】
請求項１〜４のいずれか１項に記載の前記ステップを含む方法であって、
ステップａはまた、第６の流体弁（１２０）および第７の流体弁（１３０）が提供され、
前記第６の流体弁（１２０）は、それぞれが外側に向かう開口部を有する少なくとも２つの第６のポートを含み、
前記第７の流体弁（１３０）は、それぞれが外側に向かう開口部を有する少なくとも２つの第７のポートを含むという事実も含み、
ステップｂはまた、第５の管（１４０）および第６の管（１５０）が提供され、
前記第５の管（１４０）は、第１の端部（１４１）と第２の端部（１４２）とを有し、
前記第５の管（１４０）の前記第１の端部（１４１）は、前記第１の流体弁（１０）の第１のポート（１１、１２）の開口部（１１１、１１２）に挿入されるのに適しており、
前記第２の管（１４０）の前記第２の端部（１４２）は、前記第６の流体弁（１２０）の第６のポートの開口部に挿入されるのに適しており、
前記第６の管（１５０）は、第１の端部（１５１）と第２の端部（１５２）とを有し、
前記第６の管（１５０）の前記第１の端部（１５１）は、前記第２の流体弁（２０）の第２のポート（２１、２２）の開口部（２２１、２２２）に挿入されるのに適しており、
前記第６の管（１５０）の前記第２の端部（１５２）は、前記第７の流体弁（１３０）の第７のポートの開口部に挿入されるのに適しており、
前記第７の管（１６０）は、第１の端部（１６１）と第２の端部（１６２）とを有し、
前記第７の管（１６０）の前記第１の端部（１６１）は、前記第６の流体弁（１２０）の第６のポートの開口部に挿入されるのに適しており、
前記第７の管（１６０）の前記第２の端部（１６２）は、前記第７の流体弁（１３０）の第７のポートの開口部に挿入するのに適しているという事実も含み、
ステップｃはまた、拡張流体アセンブリを形成するために、
前記第５の管（１４０）の前記第１の端部（１４１）は、前記第１の流体弁（１０）の第１のポート（１１、１２）の開口部（１１１、１１２）に挿入され、前記第５の管（１４０）の前記第２の端部（１４２）は、前記第６の流体弁（１２０）の第６のポートの開口部に挿入されており、
前記第６の管（１５０）の前記第１の端部（１５１）は、前記第２の流体弁（２０）の第２のポート（２１、２２）の開口部（２２１、２２２）に挿入され、前記第６の管（１５０）の前記第２の端部（１５２）は、前記第７の流体弁（１３０）の第７のポートの開口部に挿入されており、
前記第７の管（１６０）の前記第１の端部（１６１）は、前記第６の流体弁（１２０）の第６のポートの開口部に挿入され、前記第７の管（１６０）の前記第２の端部（１６２）は、前記第７の流体弁（１３０）の第７のポートの開口部に挿入されているという事実を含み、
ステップｄはまた、
２つの端部を含む第２の圧縮手段（５０１）であって、前記２つの端部間で前記拡張流体アセンブリを第２の方向Ｙに圧縮するための第２の圧縮手段（５０１）と、
２つの端部を含む第３の圧縮手段（６０１）であって、前記第６の流体弁（１２０）、第７の流体弁（１３０）、および第７の管（１７０）を前記２つの端部間で前記第１の方向Ｘに圧縮するための第３の圧縮手段（６０１）とが提供されるという事実を含み、
ステップｅはまた、
前記第２の圧縮手段（５０１）の前記２つの端部は、前記第２の方向Ｙにおいて前記拡張流体アセンブリの両側に配置され、
前記第３の圧縮手段（６０１）の前記２つの端部は、前記第１の方向Ｘにおいて前記第６の流体弁（１２０）、第７の流体弁（１３０）、および第７の管（１７０）の両側に配置されるという事実を含み、
ステップｆはまた、前記第５の管（１４０）および第６の管（１５０）を、それぞれ前記第１の流体弁（１０）と第６の流体弁（１２０）、および前記第２の流体弁（２０）と第７の流体弁（１３０）とともに圧縮するために、前記第２の圧縮手段（５０１）を介して前記第２の方向Ｙに平行に圧縮力が前記拡張流体アセンブリに印加されるという事実を含むことを特徴とする請求項１〜４のいずれか１項に記載の方法。
【請求項６】
ステップａはまた、第３の流体弁（３０）、第４の流体弁（４０）、および第５の流体弁（５０）が提供され、
前記第３の流体弁（３０）は、それぞれが外側に向かう開口部（３３１、３３２）を有する少なくとも２つの第３のポート（３１、３２）を含み、
前記第４の流体弁（４０）は、それぞれが外側に向かう開口部（４４１、４４２）を有する少なくとも２つの第４のポート（４１、４２）を含み、
前記第５の流体弁（５０）は、それぞれが外側に向かう開口部（５５１、５５２）を有する少なくとも２つの第５のポート（５１、５２）を含むという事実を含み、
ステップｂはまた、第２の管（７０）、第３の管（８０）、および第４の管（９０）が提供され、
前記第２の管（７０）は、第１の端部（７１）および第２の端部（７２）を有し、
前記第２の管（７０）の前記第１の端部（７１）は、前記第２の流体弁（２０）の第２のポート（２１、２２）の開口部（２２１、２２２）に挿入されるのに適しており、
前記第２の管（７０）の前記第２の端部（７２）は、前記第３の流体弁（３０）の第３のポート（３１、３２）の開口部（３３１、３３２）に挿入されるのに適しており、
前記第３の管（８０）は、第１の端部（８１）および第２の端部（８２）を有し、
前記第３の管（８０）の前記第１の端部（８１）は、前記第３の流体弁（３０）の第３のポート（３１、３２）の開口部（３３１、３３２）に挿入されるのに適しており、
前記第２の管（８０）の前記第２の端部（８２）は、前記第４の流体弁（４０）の第４のポート（４１、４２）の開口部（４４１、４４２）に挿入されるのに適しており、
前記第４の管（９０）は、第１の端部（９１）および第２の端部（９２）を有し、
前記第４の管（９０）の前記第１の端部（９１）は、前記第４の流体弁（４０）の第４のポート（４１、４２）の開口部（４４１、４４２）に挿入されるのに適しており、
前記第４の管（９０）の前記第２の端部（９２）は、前記第５の流体弁（５０）の第５のポート（５１、５２）の開口部（５５１、５５２）に挿入されるのに適しているという事実を含み、
ステップｃはまた、前記流体アセンブリを形成するために、
前記第２の管（７０）の前記第１の端部（７１）は、前記第２の流体弁（２０）の第２のポート（２１、２２）の開口部（２２１、２２２）に挿入され、前記第２の管（７０）の前記第２の端部（７２）は、前記第３の流体弁（３０）の第３のポート（３１、３２）の開口部（３３１、３３２）に挿入され、
前記第３の配管（８０）の前記第１の端部（８１）は、前記第３の流体弁（３０）の第３のポート（３１、３２）の開口部（３３１、３３２）に挿入され、前記第３の配管（８０）の前記第２の端部（８２）は、前記第４の流体弁（４０）の第４のポート（４１、４２）の開口部（４４１、４４２）に挿入され、
前記第４の配管（９０）の前記第１の端部（９１）は、前記第４の流体弁（４０）の第４のポート（４１、４２）の開口部（４４１、４４２）に挿入され、前記第４の配管（９０）の前記第２の端部（９２）は、前記第５の流体弁（５０）の第５のポート（５１、５２）の開口部（５５１、５５２）に挿入されるという事実を含むことを特徴とする請求項１〜４のいずれか１項に記載の方法。
【請求項７】
流体アセンブリであって、
第１の方向Ｘの第１の流体弁（１０）および第２の流体弁（２０）であって、
前記第１の流体弁（１０）は、それぞれが外側に向かう開口部（１１１、１１２）を有する２つの第１のポート（１１、１２）を含み、
前記第２の流体弁（２０）は、それぞれが外側に向かう開口部（２２１、２２２）を有する２つの第２のポート（２１、２２）を含む第１の流体弁（１０）および前記第２の流体弁（２０）と、
第１の管（６０）であって、
第１の端部（６１）と第２の端部（６２）を有し、
前記第１の管（６１）の前記第１の端部は、前記第１の流体弁（１０）の第１のポート（１１、１２）の開口部（１１１、１１２）に収容され、前記第１の管（６２）の前記第２の端部は、前記第２の流体弁（２０）の第２のポート（２１、２２）の開口部（２２１、２２２）に収容されるように、前記第１の流体弁（１０）と第２の流体弁（２０）の間に配置されている第１の管（６０）とを含む流体アセンブリと、
前記流体アセンブリに機械的に連結され、前記第１の方向Ｘにおいて前記第１の流体弁（１０）と第２の流体弁（２０）との間で前記第１の管（６０）を圧縮するために、前記流体アセンブリの両側に配置された少なくとも２つの端部（２、３）を含む第１の圧縮手段（１）とを含む流体連通のためのシステム（１００）。
【請求項８】
前記第１の管（６０）が滑らかな外面を有することを特徴とする請求項７に記載の流体連通のためのシステム（１００）。
【請求項９】
前記第１の管（６０）は、第１の滑らかな端部（６１）と第２の滑らかな端部（６２）とを有することを特徴とする、請求項７〜８のいずれか１項に記載の流体連通のためのシステム（１００）。
【請求項１０】
前記第１の管（６０）は、その長さに対して実質的に垂直な平面内に円形の断面を有することを特徴とする、請求項７〜９のいずれか１項に記載の流体連通のためのシステム（１００）。
【請求項１１】
前記第１の流体弁（１０）および第２の流体弁（２０）は、Ｔ字構成の３つのポートを含むことを特徴とする、請求項７〜１０のいずれか１項に記載の流体連通のためのシステム（１００）。
【請求項１２】
前記第１の管（６０）は、ポリ（エーテルエーテルケトン）（ＰＥＥＫ）で作られていることを特徴とする、請求項７〜１１のいずれか１項に記載の流体連通のためのシステム（１００）。
【請求項１３】
前記第１の流体弁（１０）および第２の流体弁（２０）は、
第１の弁本体（１５）および第２の弁本体（２５）であって、
前記第１の流体弁（１０）の前記第１の弁本体（１５）は、２つの第１のポート（１１、１２）を含み、
前記第２の流体弁（２０）の前記第２の弁本体（２５）は、２つの第２のポート（２１、２２）を含む第１の弁本体（１５）および第２の弁本体（２５）と、
第１の弁本体ライニング（１４）および第２の弁本体ライニング（２４）であって、
前記第１の弁（１０）の前記弁本体（１５）の前記第１の弁本体ライニング（１４）は、前記２つの第１のポート（１１、１２）を中心とする２つの開口部（１１１、１１２）を含み、
前記第２の弁（２０）の前記弁本体（２５）の前記第２の弁本体ライニング（２４）は、前記２つの第２のポート（２１、２２）を中心とする２つの開口部（２２１、２２２）を含む第１の弁本体ライニング（１４）および第２の弁本体ライニング（２４）とをそれぞれ含むことを特徴とする、請求項７〜１２のいずれか１項に記載の流体連通のためのシステム（１００）。
【請求項１４】
前記第１の弁本体（１５）および第２の弁本体（２５）は、プラスチック材料で作られていることを特徴とする、請求項１３に記載の流体連通のためのシステム（１００）。
【請求項１５】
前記第１の弁本体（１５）および第２の弁本体（２５）は、溶媒に耐性のあるポリマーで作られていることを特徴とする、請求項１３に記載の流体連通のためのシステム（１００）。
【請求項１６】
前記第１の弁本体（１５）および第２の弁本体（２５）は、テフロン（登録商標）ポリマーで作られていることを特徴とする、請求項１３に記載の流体連通のためのシステム（１００）。
【請求項１７】
前記弁本体（１５；２５）の材料は、前記第１の管（６０）の材料よりも可撓性が高いことを特徴とする、請求項１３に記載の流体連通のためのシステム（１００）。
【請求項１８】
前記第１の管（６０）は、前記第１の圧縮手段（１）による圧縮中、前記第１の流体弁（１０）と第２の流体弁（２０）との間の間隔を規定するように剛性が高いことを特徴とする、請求項７〜１５のいずれか１項に記載の流体連通のためのシステム（１００）。
【請求項１９】
前記第１の流体弁（１０）と前記第２の流体弁（２０）との間の中心間距離は、前記第１の管（６０）の長さと圧縮力によって規定されることを特徴とする、請求項７〜１８のいずれか１項に記載の流体連通のためのシステム（１００）。
【請求項２０】
前記第１の管（６０）は、その第１の端部（６１）および第２の端部（６２）と前記第１の流体弁（１０）および第２の流体弁（２０）との間に密閉接続を形成することを特徴とする、請求項７〜１９のいずれか１項に記載の流体連通のためのシステム（１００）。
【請求項２１】
前記管の前記第１および第２の端部と前記第１の弁（１０）および第２の弁（２０）との間の流体接続は、大気圧と５ｘ１０５Ｐａとの間の圧力に対して密閉されることを特徴とする、請求項７〜２０のいずれか１項に記載の流体連通のためのシステム（１００）。
【請求項２２】
前記第１の管（６０）の前記第１の端部（６１）および第２の端部（６２）と前記第１の流体弁（１０）および第２の流体弁（２０）との間の流体接続は、大気圧より低い圧力で密閉されていることを特徴とする、請求項７〜２１のいずれか１項に記載の流体連通のためのシステム（１００）。
【請求項２３】
流体弁を制御するための制御システムをさらに含む、請求項７〜２２のいずれか１項に記載の流体連通のためのシステム（１００）。
【請求項２４】
第１および第２の連結手段（１６、２６）と、第１および第２の弁のステム（１７、２７）とをさらに含む流体連通のためのシステム（１００）において、
前記第１の弁のステム（１７）は、前記第１の連結手段（１６）によって流体弁を制御するための前記制御システムに接続されている前記第１の流体弁（１０）の移動を可能にし、
前記第２の弁のステム（２７）は、前記第２の連結手段（２６）によって流体弁を制御するための前記制御システムに接続されている前記第２の流体弁（２０）の移動を可能にすることを特徴とする、請求項７〜２３のいずれか１項に記載の流体連通のためのシステム（１００）。
【請求項２５】
前記第１の圧縮手段（１）は、
前記流体弁（１０；２０）を受けるのに適した中空形材（４）と、
前記形材（４）内で前記管（６０）および前記流体弁（１０、２０）を圧縮するのに適した圧縮手段の２つの端部（２、３）と、
前記第１の圧縮手段（１）の前記端部（２、３）を前記形材（４）に固定するための手段（５）とを含むことを特徴とする、請求項７〜２４のいずれか１項に記載の流体連通のためのシステム（１００）。
【請求項２６】
前記固定手段（５）は、前記２つの端部（２、３）を前記形材（４）に固定するためのねじであることを特徴とする、請求項７〜２５のいずれか１項に記載の流体連通のためのシステム（１００）。
【請求項２７】
前記流体アセンブリは、
第６の流体弁（１２０）および第７の流体弁（１３０）であって、
前記第６の流体弁（１２０）は、それぞれが外側に向かう開口部を有する少なくとも２つの第６のポートを含み、
前記第７の流体弁（１３０）は、それぞれが外側に向かう開口部を有する少なくとも２つの第７のポートを含む第６の流体弁（１２０）および第７の流体弁（１３０）と、
第５の管（１４０）であって、
第２の方向Ｙに第１の端部（１４１）と第２の端部（１４２）とを有し、
前記第５の管（１４０）の前記第１の端部が、前記第１の流体弁（１０）のポート（１１、１２）の開口部（１１１、１１２）に収容され、前記第５の管（１４２）の前記第２の端部が、前記第６の流体弁（１２０）のポートの開口部に収容されるように、前記第１の流体弁（１０）と第６の流体弁（１２０）との間に配置される第５の管（１４０）と、
第６の管（１５０）であって、
前記第２の方向Ｙに第１の端部（１５１）と第２の端部（１５２）とを有し、
前記第６の管（１５１）の前記第１の端部が、前記第２の流体弁（２０）のポート（２１、２２）の開口部（２２１、２２２）に収容され、前記第６の管（１５２）の前記第２の端部が、前記第７の流体弁（１３０）のポートの開口部に収容されるように、前記第２の流体弁（２０）と第７の流体弁（１３０）との間に配置される第６の管（１５０）と、
第７の管（１６０）であって、
前記第１の方向Ｘに第１の端部（１６１）と第２の端部（１６２）とを有し、
前記第７の管（１６１）の前記第１の端部が、前記第６の流体弁（１２０）のポートの開口部に収容され、前記第６の管（１６２）の前記第２の端部が、前記第７の流体弁（１３０）のポートの開口部に収容されるように、前記第６の流体弁（１２０）と第７の流体弁（１３０）との間に配置される第７の管（１６０）とをさらに含み、
拡張流体アセンブリを形成するために、前記拡張流体アセンブリは、
前記第１の流体弁（１０）および第６の流体弁（１２０）と前記第２の流体弁（２０）および第７の流体弁（１３０）との間で前記第５の管（１４０）および第６の管（１５０）をそれぞれ圧縮するために、前記拡張流体アセンブリに機械的に結合され、前記第２の方向Ｙにおいて前記拡張流体アセンブリの両側に配置された少なくとも２つの端部を含む第２の圧縮手段（５０１）と、
前記第６の流体弁（１２０）と前記第７の流体弁（１３０）との間で前記第７の管（１６０）を圧縮するために、前記第６の流体弁（１２０）、第７の流体弁（１３０）、および第７の管（１６０）に機械的に結合され、前記第１の方向Ｘにおいて前記第６の流体弁（１２０）、第７の流体弁（１３０）、および第７の管（１６０）の両側に配置された少なくとも２つの端部を含む第３の圧縮手段（６０１）とをさらに含み、
前記第６の流体弁（１２０）および第７の流体弁（１３０）は、前記第１の流体弁（１０）および第２の流体弁（２０）と同一の外形寸法を有し、前記第７の管は、前記第１の管（６０）と同一であり、前記第５の管（１４０）と第６の管（１５０）は、互いに同一であることを特徴とする、請求項７〜２６のいずれか１項に記載の流体連通のためのシステム（１００）。
【請求項２８】
前記流体アセンブリは、
第３の流体弁（３０）、第４の流体弁（４０）、および第５の流体弁（５０）であって、
前記第３の流体弁（３０）は、それぞれが外側に向かう開口部（３３１、３３２）を有する少なくとも２つの第３のポート（３１、３２）を含み、
前記第４の流体弁（４０）は、それぞれが外側に向かう開口部（４４１、４４２）を有する少なくとも２つの第４のポート（４１、４２）を含み、
前記第５の流体弁（５０）は、それぞれが外側に向かう開口部（５５１、５５２）を有する少なくとも２つの第５のポート（５１、５２）を含む、第３の流体弁（３０）、第４の流体弁（４０）、および第５の流体弁（５０）と、
第２の管（７０）であって、
第１の端部（７１）と第２の端部（７２）とを有し、
前記第２の管の前記第１の端部（７１）は、前記第２の流体弁（２０）の第１のポート（２１）の開口部（２２１）に収容され、前記第２の管の前記第２の端部（７２）は、前記第３の流体弁（３０）の第２のポート（３２）の開口部（３３２）に収容されるように、前記第２の流体弁（２０）と第３の流体弁（３０）との間に配置される第２の管（７０）と、
第３の管（８０）であって、
第１の端部（８１）と第２の端部（８２）とを有し、
前記第３の管の前記第１の端部（８１）は、前記第３の流体弁（３０）の第１のポート（３１）の開口部（３３１）に収容され、前記第３の管の前記第２の端部（８２）は、前記第４の流体弁（４０）の第２のポート（４２）の開口部（４４２）に収容されるように、前記第３の流体弁（３０）と第４の流体弁（４０）との間に配置される第３の管（８０）と、
第４の管（９０）であって、
第１の端部（９１）と第２の端部（９２）とを有し、
前記第４の管（９１）の前記第１の端部は、前記第４の流体弁（４０）の第１のポート（４１）の開口部（４４１）に収容され、前記第４の管の前記第２の端部（９２）は、前記第５の流体弁（５０）の第２のポート（５２）の開口部（５５２）に収容されるように、前記第４の流体弁（４０）と第５の流体弁（５０）との間に配置される第４の管（９０）とをさらに含み、
前記第３の流体弁（３０）、第４の流体弁（４０）、および第５の流体弁（５０）は、前記第１の流体弁（１０）および第２の流体弁（２０）と同一であり、前記第２の管（７０）、第３の管（８０）、および第４の管（９０）は、前記第１の管（６０）と同一であることを特徴とする請求項７〜２６のいずれか１項に記載の流体連通のためのシステム（１００）。
【請求項２９】
前記第１の管（６０）、第２の管（７０）、第３の管（８０）、第４の管（９０）は、異なる長さを有することを特徴とする、請求項２８に記載の流体連通のためのシステム（１００）。
【請求項３０】
前記第１の管（６０）、第２の管（７０）、第３の管（８０）、第４の管（９０）は、１ｃｍ〜１０ｃｍの間の長さを有することを特徴とする、請求項２８に記載の流体連通のためのシステム（１００）。
【請求項３１】
前記第１の管（６０）、第２の管（７０）、第３の管（８０）、第４の管（９０）は、２ｃｍ〜５ｃｍの間の長さを有することを特徴とする、請求項２８〜３０のいずれか１項に記載の流体連通のためのシステム（１００）。
【請求項３２】
前記管（６０、７０、８０、９０）は、前記流体弁（１０、２０、３０、４０、５０）内に自由に挿入されることを特徴とする、請求項２８〜３１のいずれか１項に記載の流体連通のためのシステム（１００）。
【請求項３３】
前記第３の流体弁（３０）、第４の流体弁（４０）、および前記第５の流体弁（５０）は、
第３の弁本体（３５）、第４の弁本体（４５）、および第５の弁本体（５５）であって、
前記第３の流体弁（３０）の前記第３の弁本体（３５）は、少なくとも２つの第３のポート（３１、３２）を含み、
前記第４の流体弁（４０）の前記第４の弁本体（４５）は、少なくとも２つの第４のポート（４１、４２）を含み、
前記第５の流体弁（５０）の前記第５の弁本体（５５）は、少なくとも２つの第５のポート（５１、５２）を含む、第３の弁本体（３５）、第４の弁本体（４５）、および第５の弁本体（５５）と、
弁本体の第３のライニング（３４）、第４のライニング（４４）、および第５のライニング（５４）であって、
前記第１の弁（３０）の前記第３の弁本体（３５）の前記第３のライニング（３４）は、前記２つの第３のポート（３１、３２）の軸に沿って配置された少なくとも２つの開口部（３３１、３３２）を含み、
前記第４の弁（４０）の前記弁本体（４５）の前記第４のライニング（３４）は、前記２つの第４のポート（４１、４２）の軸に沿って配置された少なくとも２つの開口部（４４１、４４２）を含み、
前記第５の弁（５０）の前記弁本体（５５）の前記第５のライニング（５４）は、前記２つの第５のポート（５１、５２）の軸に沿って配置された少なくとも２つの開口部（５５１、５５２）を含む、第３のライニング（３４）、第４のライニング（４４）、および第５のライニング（５４）とを含むことを特徴とする、請求項２８〜３２のいずれか１項に記載の流体連通のためのシステム（１００）。
【請求項３４】
前記第１の管（６０）、第２の管（７０）、第３の管（８０）、および第４の管（９０）は、前記流体弁（１０、２０、３０、４０、５０）の前記弁本体（１５、２５、３５、４５、５５）の間に密閉接続を形成することを特徴とする、請求項２８〜３３のいずれか１項に記載の流体連通のためのシステム（１００）。
【請求項３５】
前記圧縮手段（１）は、前記流体弁（１０、２０、３０、４０、５０）の間で前記管（６０、７０、８０、９０）を塞いで圧縮するように配置された調整可能なクランプであることを特徴とする、請求項２８〜３４のいずれか１項に記載の流体連通のためのシステム（１００）。
【請求項３６】
前記圧縮手段（１）は、前記流体弁（１０、２０、３０、４０、５０）の間で前記管（６０、７０、８０、９０）を塞いで圧縮するように配置されたクランプであることを特徴とする、請求項２８〜３５のいずれか１項に記載の流体連通のためのシステム（１００）。
【発明の詳細な説明】
【技術分野】
【０００１】
第１の態様によれば、本発明は、２つの流体弁を流体的に接続するための方法に関する。
【０００２】
第２の態様によれば、本発明は、流体連通のためのシステムに関する。
【背景技術】
【０００３】
医薬品（例えば、薬剤）の新規合成の開発のためには、複数の弁を有する管（マニフォールド、例えば、Ｍｅｄｅｘ（登録商標）社によって市販されている３方向Ｓｔｏｐｃｏｃｋ（登録商標））の使用が制御された方法で必要とされる。
【０００４】
研究所では、臨床段階３まで、永久的な弁と永久的な管を備えた機械を使用している。
【０００５】
臨床段階３からはじめて、優れた製造方法（ＧＭＰ）に従った製造には、制御された弁および管を含む使い捨てキットの使用が必要である。
【０００６】
新しい化合物の開発中の主な問題は、使い捨て弁の制御を伴う機械への永久的な弁の制御を可能にする機械からの移行中に生じる。ある種類の機械から別の種類の機械へのこの移行（永久的なものから使い捨て可能なものへ）は、弁の種類、それらの容積、およびそれらの接続が変化するので、化学シーケンスの適応をしばしば必要とする。この適応は、原材料、機器の使用時間、人的資源の点で非常に費用が掛かり、そして結局のところ、より高度な開発段階への移行のための追加の遅延およびより大きなコストにつながる。
【０００７】
永久的な弁と管を備えた機械は、使い捨ての弁と管の使用を可能にしない。使い捨てキットの弁の制御を可能にする機械は、永久的な弁からなる使い捨て弁のキットと同等のものを有さない。
【０００８】
使い捨てキットは、使い捨て弁および管を含み、一般的に弁間の間隔が小さい。この小さな間隔は、管内で役に立たない体積を減らすために特に望ましい。この小さな間隔は、特に、使用される製造方法、例えば射出成形によって可能になる。弁間の間隔が比較的小さいため、弁および管を含み、良好な不透過性を有し、市場で入手可能な要素を含む永久的なシステムの設計は非常に困難になる。
【０００９】
市場で入手可能な弁は、管または付属品（例えば、プラグ、アダプター、シリンジ）のねじ込みノズルへの流体接続を可能にするためにそれらのポートに雌ねじを備えている。互いに近接している２つの弁がその端部にねじ山を備えた管に接続されなければならないとき、複数の問題が生じる。市販の弁は、例えば、右ねじを有する。（管の長さを制限するために）２つの弁を直管によって並べて配置するためには、これは、一端に右ねじを有し、他端に左ねじを有する管を有することを含む。しかしながら、このアセンブリの不透過性は、管と弁の開口部の底部との（弁本体との）接触によってもたらされる。良好な密閉を保証するために、これは、弁、より具体的には弁のステムの向きを制御することを必ずしも可能にしない十分な締め付けを加えることを含む。弁のステムまたは弁の制御ステムにより、弁の制御が可能となる。実際、弁は、弁の制御を可能にする機械によって制御されるためには、それらのステムまたは弁の部材が互いに平行でなければならない。しかしながら、ねじ付き端部を有する管の使用は、２つの流体弁がそれらの弁のステムを平行にすること、またはそれらが密閉流体接続を有することを保証するものではない。
【００１０】
良好な密閉を保証し、弁のステムを平行にするために変形可能な管端部を設けるなど、複数の解決策が既に開発されている。しかしながら、この解決策は経時的に良好な密閉を保証するものではなく、この変形可能な部分にデッドボリュームを有する危険性をもたらす。
【００１１】
開発された別の解決策は、２つの部分から作られた管を使用することを含み、その２つの部分は接続されるべき各ポートにねじ込まれる。次に、２つの部分は、連結要素、例えばナットを介して締め付けられることによって互いに接続される。この解決法は、弁−管接続部における漏れの可能性を減少させるが、この解決法は、２つの管部分間の連結要素との接続部に現れる漏れの危険性を有する。
【００１２】
現在のところ、約３センチメートルの一定の小さい間隔（例えば、制御棒間の距離）を尊重しながら、かつ弁のステム間の平行度を維持しながら、２つの流体弁を互いに接続する現実的な解決策はない。上で試験され言及された２つの解決策は、そのようなアセンブリを可能にしない。弁間の中心間距離は尊重されるが、不透過性および弁の制御ステムが平行であるという事実は保証されないか、あるいは不透過性は保証されるが、弁のステムの中心間距離または平行度は正しくない。
【００１３】
使い捨て弁のキットを永久的な弁で置き換えることができるようにするために尊重されるべき３つのパラメータは、弁間の中心間距離、それらの接続の不透過性、および弁のステムの平行度である。現在のところ、この問題を克服するための解決策はない。
【発明の概要】
【００１４】
第１の態様によれば、研究中の試験合成のコストを削減し、最初に使い捨てキットの使用を排除するという目的で、本発明者らは、第１の方向Ｘに第１の流体弁と第２の流体弁とを流体的に接続するための方法であって、
ａ．前記第１の流体弁および第２の流体弁を提供するステップであって、
前記第１の流体弁は、それぞれが第１の流体弁の外側に向かう開口部を有する少なくとも２つの第１のポートを含み、
前記第２の流体弁は、それぞれが第２の流体弁の外側に向かう開口部を有する少なくとも２つの第２のポートを含むステップと、
ｂ．第１の端部と第２の端部とを有する第１の管を提供するステップであって、
前記第１の端部は、前記第１の流体弁の第１のポートの開口部に挿入するのに適しており、
前記第２の端部は、前記第２の流体弁の第２のポートの開口部に挿入するのに適しているステップと、
ｃ．流体アセンブリを形成するために、前記第１の管の前記第１の端部を前記第１の流体弁の第１のポートの開口部に挿入し、前記第１の管の前記第２の端部を前記第２の流体弁の第２のポートの開口部に挿入するステップと、
ｄ．２つの端部を含む第１の圧縮手段を提供するステップであって、前記第１の流体弁および第２の流体弁と前記第１の管とを含む前記流体アセンブリを前記２つの端部間で前記第１の方向Ｘに圧縮するためのステップと、
ｅ．前記第１の方向Ｘにおいて前記第１の圧縮手段の前記２つの端部を前記流体アセンブリの両側に位置決めするステップと、
ｆ．前記第１の流体弁と前記第２の流体弁との間で前記第１の管を圧縮するために、前記第１の圧縮手段を介して前記流体アセンブリに前記第１の方向Ｘと平行に圧縮力を印加するステップとを含む方法を提案する。
【００１５】
流体弁を互いに接続するためのこの方法に関連した利点は、この方法によって、少なくとも２つの弁を、小さくかつ２つの弁間で正確に決定することができる間隔で、流体的かつ密閉された方法で互いに容易に接続できることである。この方法は、永久的で再使用可能な弁からなる流体アセンブリを、使い捨て弁を制御するためのシステムに適合させることを可能にする。
【００１６】
管および弁の外部にある流体弁内の管を圧縮する方法を使用することの利点は、中心間距離、弁アクチュエータの平行度、および流体アセンブリの良好な不透過性を提供する。
【００１７】
この方法は迅速な組み立てを可能にし、また弁および管の洗浄のための分解を可能にする。
【００１８】
この方法の利点は、これが弁アクチュエータの平行度に影響を及ぼすことなく、管の端部と弁本体との間の締め付けを調整できることである。
【００１９】
この方法は、使い捨て弁の制御を可能にする異なる種類の機械に適応することができるように、管の長さを変更することおよび圧縮手段の長さを変更することによって弁間の中心間距離を適合させることができる。
【００２０】
密閉された流体接続を可能にする提案された方法は、例えばそれらの分解および洗浄の後に同じ要素を用いて再現することができる。この方法では、分解して定期的に洗浄できる弁と管を使用する。
【００２１】
好ましくは、第１の管の前記第１および第２の端部は滑らかな外壁を有する。
【００２２】
滑らかな外壁を有する端部を有する管を有することの利点は、その管を、その外壁全体が滑らかであるより長い管から容易に切断することができることである。管の端部の外壁が滑らかであるという事実は、前記壁にねじ山を必要としない。これにより、管の機械加工および流体弁のポートの開口部における管の組み立てが容易になる。
【００２３】
好ましくは、第１の管の前記第１および第２の端部は滑らかである。
【００２４】
端部が滑らかな第１の管を有することの利点は、その切断面の追加の機械加工を必要とする部分切断なしに、より長い管から第１の管を容易に切断できることである。管の端部が滑らかであるという事実は、密閉手段、例えば継手を収容するために溝を作製することを必要としない。さらに、管の端部に溝を形成することは、非常に精密で特殊な加工工具を必要とする機械加工である。管の端部は、管の切断中に得られる縁部に対応するのが好ましい。直管の切断は、管の主方向に対して垂直に行われるのが好ましい。管の端部の溝は、端部の表面から始めて管の主方向と実質的に平行に管の材料内に延びる空洞化した空洞として定義することができる。
【００２５】
圧縮手段、特に前記手段の２つの端部間の距離を適合させることにより、滑らかな端部を有する管は、管の中心間距離によって画定される寸法への切断およびオプションで前記切断部のバリ取り以外の機械加工を必要とせずに弁間の中心間距離の良好なモジュール化を可能にする。
【００２６】
好ましくは、第１の圧縮手段の前記２つの端部は２つのプレートであり、前記第１の圧縮手段は、
第１および第２の流体弁を受けるのに適した中空形材と、
前記２つのプレートを前記中空形材の２つの端部に固定するための固定手段とをさらに含む。
【００２７】
中空形材と、流体弁および管を圧縮状態に維持するために中空形材の端部に固定することができる２つの端部要素とからなる圧縮手段には複数の利点がある。圧縮手段は、弁と管が挿入される中空形材に端部を固定する間、管を弁のポートの開口部で圧縮することを可能にする。圧縮手段は、例えば互いに嵌合することによって、ねじ山、接着剤、またはアセンブリに対して流体弁のポート内で管の端部を組み立てる必要性を排除する。さらに、滑らかな端部の場合には、例えば、管の一方の端部および他方の端部に、右ねじおよび左ねじを設ける必要はない。中空形材はまた、流体弁間に中心間距離を有するアセンブリを得るために異なる長さに切断することができるという利点を有する。この態様は、流体弁間の様々な中心間距離に容易に適合させることができる圧縮手段を提供する。
【００２８】
さらに、中空形材は、
・制御ステム間の平行度
・流体弁の開口部間の共線性
を確実にするために流体弁を案内するための手段を提供する。
【００２９】
好ましくは、
ステップａはまた、第６の流体弁および第７の流体弁が提供され、
前記第６の流体弁は、それぞれが外側に向かう開口部を有する少なくとも２つの第６のポートを含み、
前記第７の流体弁は、それぞれが外側に向かう開口部を有する少なくとも２つの第７のポートを含むという事実も含み、
ステップｂはまた、第５の管および第６の管が提供され、
前記第５の管は、第１の端部と第２の端部とを有し、
前記第５の管の前記第１の端部は、前記第１の流体弁の第１のポートの開口部に挿入されるのに適しており、
前記第２の管の前記第２の端部は、前記第６の流体弁の第６のポートの開口部に挿入されるのに適しており、
前記第６の管は、第１の端部と第２の端部とを有し、
前記第６の管の前記第１の端部は、前記第２の流体弁の第２のポートの開口部に挿入されるのに適しており、
前記第６の管の前記第２の端部は、前記第７の流体弁の第７のポートの開口部に挿入されるのに適しており、
前記第７の管は、第１の端部と第２の端部とを有し、
前記第７の管の前記第１の端部は、前記第６の流体弁の第６のポートの開口部に挿入されるのに適しており、
前記第７の管の前記第２の端部は、前記第７の流体弁の第７のポートの開口部に挿入するのに適しているという事実も含み、
ステップｃはまた、拡張流体アセンブリを形成するために、
前記第５の管の前記第１の端部は、前記第１の流体弁の第１のポートの開口部に挿入され、前記第５の管の前記第２の端部は、前記第６の流体弁の第６のポートの開口部に挿入されており、
前記第６の管の前記第１の端部は、前記第２の流体弁の第２のポートの開口部に挿入され、前記第６の管の前記第２の端部は、前記第７の流体弁の第７のポートの開口部に挿入されており、
前記第７の管の前記第１の端部は、前記第６の流体弁の第６のポートの開口部に挿入され、前記第７の管の前記第２の端部は、前記第７の流体弁の第７のポートの開口部に挿入されているという事実を含み、
ステップｄはまた、
２つの端部を含む第２の圧縮手段であって、前記２つの端部間で前記拡張流体アセンブリを第２の方向Ｙに圧縮するための第２の圧縮手段と、
２つの端部を含む第３の圧縮手段であって、前記第６の流体弁、第７の流体弁、および第７の管を前記２つの端部間で前記第１の方向Ｘに圧縮するための第３の圧縮手段とが提供されるという事実を含み、
ステップｅはまた、
前記第２の圧縮手段の前記２つの端部は、前記第２の方向Ｙにおいて前記拡張流体アセンブリの両側に配置され、
前記第３の圧縮手段の前記２つの端部は、前記第１の方向Ｘにおいて前記第６の流体弁、第７の流体弁、および第７の管の両側に配置されるという事実を含み、
ステップｆはまた、前記第５の管および第６の管を、それぞれ前記第１の流体弁と第６の流体弁、および前記第２の流体弁と第７の流体弁とともに圧縮するために、前記第２の圧縮手段を介して前記第２の方向Ｙに平行に圧縮力が前記拡張流体アセンブリに印加される。
【００３０】
好ましくは、
ステップａはまた、第３の流体弁、第４の流体弁、および第５の流体弁が提供され、
前記第３の流体弁は、それぞれが外側に向かう開口部を有する少なくとも２つの第３のポートを含み、
前記第４の流体弁は、それぞれが外側に向かう開口部を有する少なくとも２つの第４のポートを含み、
前記第５の流体弁は、それぞれが外側に向かう開口部を有する少なくとも２つの第５のポートを含むという事実を含み、
ステップｂはまた、第２の管、第３の管、および第４の管が提供され、
前記第２の管は、第１の端部および第２の端部を有し、
前記第２の管の前記第１の端部は、前記第２の流体弁の第２のポートの開口部に挿入されるのに適しており、
前記第２の管の前記第２の端部は、前記第３の流体弁の第３のポートの開口部に挿入されるのに適しており、
前記第３の管は、第１の端部および第２の端部を有し、
前記第３の管の前記第１の端部は、前記第３の流体弁の第３のポートの開口部に挿入されるのに適しており、
前記第２の管の前記第２の端部は、前記第４の流体弁の第４のポートの開口部に挿入されるのに適しており、
前記第４の管は、第１の端部および第２の端部を有し、
前記第４の管の前記第１の端部は、前記第４の流体弁の第４のポートの開口部に挿入されるのに適しており、
前記第４の管の前記第２の端部は、前記第５の流体弁の第５のポートの開口部に挿入されるのに適しているという事実を含み、
ステップｃはまた、前記流体アセンブリを形成するために、
前記第２の管の前記第１の端部は、前記第２の流体弁の第２のポートの開口部に挿入され、前記第２の管の前記第２の端部は、前記第３の流体弁の第３のポートの開口部に挿入され、
前記第３の配管の前記第１の端部は、前記第３の流体弁の第３のポートの開口部に挿入され、前記第３の配管の前記第２の端部は、前記第４の流体弁の第４のポートの開口部に挿入され、
前記第４の配管の前記第１の端部は、前記第４の流体弁の第４のポートの開口部に挿入され、前記第４の配管の前記第２の端部は、前記第５の流体弁の第５のポートの開口部に挿入されるという事実を含む。
【００３１】
５つの流体弁が４つの管によって圧縮手段と接続されることを可能にする方法の利点は、これらすべての要素の組み立てが非常に迅速に実行され得ることである。管が滑らかな端部を有するという事実は、それらがより長い管から容易に切断されそして容易に交換されるかまたは洗浄されることを可能にする。この方法の利点は、単一の圧縮システムを作動させる必要がある一方で、流体的に多数の管および弁を組み立てることができることである。さらに、圧縮手段の形材の長さおよび各管の長さを適合させることによって、流体弁間の中心間距離を容易に適合させることができる。第１の管に関して説明したように、管の端部は滑らかでなければならず、他のいかなる特殊性も必要としないという事実のために、このようなモジュール性は、主に可能である。特に、管は端部のいずれにも密閉手段を収容するために溝を必要としない。
【００３２】
第２の態様によれば、本発明者らは、
流体アセンブリであって、
第１の方向Ｘの第１の流体弁および第２の流体弁であって、
前記第１の流体弁は、それぞれが外側に向かう開口部を有する２つの第１のポートを含み、
前記第２の流体弁は、それぞれが外側に向かう開口部を有する２つの第２のポートを含む第１の流体弁および前記第２の流体弁と、
第１の管であって、
第１の端部と第２の端部を有し、
前記第１の管の前記第１の端部は、前記第１の流体弁の第１のポートの開口部に収容され、前記第１の管の前記第２の端部は、前記第２の流体弁の第２のポートの開口部に収容されるように、前記第１の流体弁と第２の流体弁の間に配置されている第１の管とを含む流体アセンブリと、
前記流体アセンブリに機械的に連結され、前記第１の方向Ｘにおいて前記第１の流体弁と第２の流体弁との間で前記第１の管を圧縮するために、前記流体アセンブリの両側に配置された少なくとも２つの端部を含む第１の圧縮手段とを含む流体連通のためのシステムを提案する。
【００３３】
本発明の第１の態様について述べた代替案および利点は、変更すべきところは変更して、第２の態様に係る流体連通のためのシステムに適用される。
【００３４】
流体連通のためのシステムの利点は、それが密閉された流体アセンブリを製造することを可能にすることである。密閉された流体アセンブリは、例えば密閉接合部などの密閉手段を追加することなく得られる。流体アセンブリの不透過性は、管の端部と流体弁の開口部との間に生成される。流体連通のためのシステムの別の利点は、流体要素を互いに嵌合させるだけでよい密閉された流体アセンブリの作製を可能にすることである。良好な不透過性を維持しながら、流体弁間の中心間距離および流体弁のアクチュエータの互いに対する平行度の良好な制御を可能にするために、流体要素（流体弁および管）を一緒に締め付ける機能はこれらの要素から分離される。圧縮手段の締め付け力だけで、弁と管との間の良好な密閉を保証することが可能になる。
【００３５】
流体連通のためのシステムの利点は、それが弁と滑らかな管端を有する管との間の良好な密閉を提供することを可能にすることである。そのような流体連通のためのシステムはまた、不透過性の手段または管の縁部と流体弁との間の接合部の使用を必要としない。これはさらに、組み立てが非常に簡単で、容易に調整することができる中心間距離を有する流体連通のためのシステムを提供する。実際、不透過性の手段を使用する必要がある場合、本発明に係る流体連通のためのシステムの組み立て中にそれらの位置決めが問題となる可能性がある。圧縮前に多数の密閉手段を位置決めすることは困難であり、不透過性の手段、例えば不透過性の接合部の良好なセンタリングを保証することを可能にしない。
【００３６】
流体要素を締め付ける機能の解離は、流体連通のためのシステム全体を組み立てまたは分解することを可能にするために、締め付け機能の作動または解除を必要とするだけの組み立ておよび容易な分解を可能にする。
【００３７】
流体制御のためのシステムは、管の長さおよび圧縮手段のサイズを適合させることによって、変化し得る中心間距離を有する弁の多数の制御を有する弁コントローラへの容易な適合を可能にする。
【００３８】
好ましくは、前記第１の管は、滑らかな外面を有する。
【００３９】
滑らかな端部を有する管は、極めて単純であり、正しい長さに切断するのが容易であり、容易に交換可能であり、そして同様のアセンブリからの管と相互交換することができる要素を提供する。
【００４０】
好ましくは、前記第１の管は、第１および第２の滑らかな端部を有する。
【００４１】
滑らかな端部を有する管の利点は、端部に存在するねじ山を損傷する危険なしに管を切断するのが容易であるということである。さらに、管は、識別されなければならない左側または右側を有さない。滑らかな端部を有する管はまた、ねじ付き端部を有する管よりも安価である。
【００４２】
好ましくは、第１の管は、その長さに対して実質的に垂直な平面において円形の断面を有する。
【００４３】
円形断面を有する管の使用は、これが利用可能な管の最も一般的な形状であるという利点を有する。
【００４４】
好ましくは、第１および第２の流体弁は、Ｔ字形構成の３つのポートを含む。
【００４５】
好ましくは、前記第１の管は、ポリ（エーテルエーテルケトン）（ＰＥＥＫ）製である。
【００４６】
ＰＥＥＫ製の管を使用する利点は、ＰＥＥＫが良好な剛性、すなわち高いヤング率、および良好な破断強度を有する材料であることである。ＰＥＥＫはまた、化学的に不活性である。ＰＥＥＫは、機械加工および切断が容易であり、丸い断面を有する棒の形態または管の形態で市販されている。
【００４７】
好ましくは、第１の流体弁および第２の流体弁は、
第１の弁本体および第２の弁本体であって、
前記第１の流体弁の前記第１の弁本体は、２つの第１のポートを含み、
前記第２の流体弁の前記第２の弁本体は、２つの第２のポートを含む第１の弁本体および第２の弁本体と、
第１の弁本体ライニングおよび第２の弁本体ライニングであって、
前記第１の弁の前記弁本体の前記第１の弁本体ライニングは、前記２つの第１のポートを中心とする２つの開口部を含み、
前記第２の弁（２０）の前記弁本体の前記第２の弁本体ライニングは、前記２つの第２のポートを中心とする２つの開口部を含む第１の弁本体ライニングおよび第２の弁本体ライニングとをそれぞれ含む。
【００４８】
好ましくは、前記第１の弁本体および第２の弁本体は、プラスチック材料から作られる。
【００４９】
好ましくは、前記第１の弁本体および第２の弁本体は、耐溶媒性のポリマーから作られる。
【００５０】
好ましくは、前記第１の弁本体および第２の弁本体は、テフロン（登録商標）ポリマーから作られる。
【００５１】
好ましくは、前記弁本体の材料は、前記第１の管の材料よりも可撓性がある。
【００５２】
好ましくは、前記第１の管は、前記第１の圧縮手段による圧縮中に前記第１の流体弁と第２の流体弁との間に間隔を画定するように剛性が高い。
【００５３】
好ましくは、前記第１の流体弁と第２の流体弁との間の中心間距離は、前記第１の管の長さおよび圧縮力によって規定される。
【００５４】
好ましくは、前記第１の管は、その第１および第２の端部と第１および第２の流体弁との間に密閉接続を形成する。
【００５５】
好ましくは、前記管の前記第１および第２の端部と第１および第２の弁との間の流体接続部は、大気圧〜５×１０５Ｐａの間の圧力で密閉される。
【００５６】
好ましくは、前記管の前記第１および第２の端部と前記第１および第２の流体弁との間の流体接続部は、大気圧より低い圧力で密閉される。
【００５７】
好ましくは、流体連通のためのシステムは、流体弁を制御するための制御システムをさらに含む。
【００５８】
好ましくは、流体連通のためのシステムは、第１および第２の連結手段と、第１および第２の弁のステムとをさらに含み、前記流体連通のためのシステムにおいて、
前記第１の弁のステムは、前記第１の連結手段によって流体弁を制御するための前記制御システムに接続されている前記第１の流体弁の移動を可能にし、
前記第２の弁のステムは、前記第１の連結手段によって流体弁を制御するための前記制御システムに接続されている前記第２の流体弁の移動を可能にすることを特徴とする。
【００５９】
各流体弁用の連結手段の存在の利点は、これらの連結手段が弁のアクチュエータを制御するための制御システムに各流体弁を接続することを可能にすることである。流体連通のためのシステムの利点は、弁のアクチュエータを制御するための様々な制御システムに接続することができるようにするために、弁間の中心間距離の容易な適合を可能にすることである。
【００６０】
好ましくは、前記第１の圧縮手段は、
流体弁を受けるのに適した中空形材と、
前記形材内で管および前記流体弁を圧縮するのに適した圧縮手段の２つの端部と、
第１の圧縮手段の前記端部を前記形材に固定するための手段とを含む。
【００６１】
中空形材と、弁および管の圧縮を可能にする２つの端部とからなる圧縮手段の利点は、流体弁内の管を維持する機能を密閉機能から切り離すことを可能にすることである。流体弁内の管を維持する機能を密閉機能から切り離すことにより、管と流体弁との間の密閉を変えることなく流体弁のアクチュエータを互いに平行に配置することが可能になる。中空形材はまた、弁のそれらのアクチュエータを平行に配置することを可能にする流体弁を案内する機能を提供する。中空形材の案内機能はまた、弁および管の容易な組み立てを可能にするために、弁の開口部の共線性を保証することを可能にする。
【００６２】
本発明に係る単一の圧縮手段を介して流体弁と管とを圧縮することの利点は、同じ圧縮力を管の端部と弁本体との界面の各々に印加することを可能にする。すべての界面に同じ力を印加することにより、各流体接続部で同程度の不透過性を得ることができ、流体連通のためのシステム内で漏れを引き起こす要素の１つのクランプ解除の危険性がない。
【００６３】
例えば、固定手段は、中空形材に対する前記２つの端部用のねじである。
【００６４】
好ましくは、流体アセンブリは、
第６の流体弁および第７の流体弁であって、
前記第６の流体弁は、それぞれが外側に向かう開口部を有する少なくとも２つの第６のポートを含み、
前記第７の流体弁は、それぞれが外側に向かう開口部を有する少なくとも２つの第７のポートを含む第６の流体弁および第７の流体弁と、
第５の管であって、
第２の方向Ｙに第１の端部と第２の端部とを有し、
前記第５の管の前記第１の端部が、前記第１の流体弁のポートの開口部に収容され、前記第５の管の前記第２の端部が、前記第６の流体弁のポートの開口部に収容されるように、前記第１の流体弁と第６の流体弁との間に配置される第５の管と、
第６の管であって、
前記第２の方向Ｙに第１の端部と第２の端部とを有し、
前記第６の管の前記第１の端部が、前記第２の流体弁のポートの開口部に収容され、前記第６の管の前記第２の端部が、前記第７の流体弁のポートの開口部に収容されるように、前記第２の流体弁と第７の流体弁との間に配置される第６の管と、
第７の管であって、
前記第１の方向Ｘに第１の端部と第２の端部とを有し、
前記第７の管の前記第１の端部が、前記第６の流体弁のポートの開口部に収容され、前記第６の管の前記第２の端部が、前記第７の流体弁のポートの開口部に収容されるように、前記第６の流体弁と第７の流体弁との間に配置される第７の管とをさらに含み、
拡張流体アセンブリを形成するために、前記拡張流体アセンブリは、
前記第１の流体弁および第６の流体弁と前記第２の流体弁および第７の流体弁との間で前記第５の管および第６の管をそれぞれ圧縮するために、前記拡張流体アセンブリに機械的に結合され、前記第２の方向Ｙにおいて前記拡張流体アセンブリの両側に配置された少なくとも２つの端部を含む第２の圧縮手段と、
前記第６の流体弁と前記第７の流体弁との間で前記第７の管を圧縮するために、前記第６の流体弁、第７の流体弁、および第７の管に機械的に結合され、前記第１の方向Ｘにおいて前記第６の流体弁、第７の流体弁、および第７の管の両側に配置された少なくとも２つの端部を含む第３の圧縮手段とをさらに含み、
前記第６の流体弁および第７の流体弁は、前記第１の流体弁および第２の流体弁と同一の外形寸法を有し、前記第７の管は、前記第１の管と同一であり、前記第５の管と第６の管は、互いに同一である。
【００６５】
好ましくは、流体アセンブリは、
第３の流体弁、第４の流体弁、および第５の流体弁であって、
前記第３の流体弁は、それぞれが外側に向かう開口部を有する少なくとも２つの第３のポートを含み、
前記第４の流体弁は、それぞれが外側に向かう開口部を有する少なくとも２つの第４のポートを含み、
前記第５の流体弁は、それぞれが外側に向かう開口部を有する少なくとも２つの第５のポートを含む、第３の流体弁、第４の流体弁、および第５の流体弁と、
第２の管であって、
第１の端部と第２の端部とを有し、
前記第２の管の前記第１の端部は、前記第２の流体弁の第１のポートの開口部に収容され、前記第２の管の前記第２の端部は、前記第３の流体弁の第２のポートの開口部に収容されるように、前記第２の流体弁と第３の流体弁との間に配置される第２の管と、
第３の管であって、
第１の端部と第２の端部とを有し、
前記第３の管の前記第１の端部は、前記第３の流体弁の第１のポートの開口部に収容され、前記第３の管の前記第２の端部は、前記第４の流体弁の第２のポートの開口部に収容されるように、前記第３の流体弁と第４の流体弁との間に配置される第３の管と、
第４の管であって、
第１の端部と第２の端部とを有し、
前記第４の管の前記第１の端部は、前記第４の流体弁の第１のポートの開口部に収容され、前記第４の管の前記第２の端部は、前記第５の流体弁の第２のポートの開口部に収容されるように、前記第４の流体弁と第５の流体弁との間に配置される第４の管とをさらに含み、
前記第３の流体弁、第４の流体弁、および第５の流体弁は、前記第１の流体弁および第２の流体弁と同一であり、前記第２の管、第３の管、および第４の管は、前記第１の管と同一である。
【００６６】
例えば、前記第１、第２、第３、第４の管は、異なる長さを有する。
【００６７】
好ましくは、前記第１、第２、第３、第４の管は、１ｃｍ〜１０ｃｍの間の長さを有する。
【００６８】
好ましくは、前記第１、第２、第３、第４の管は、２ｃｍ〜５ｃｍの間の長さを有する。
【００６９】
好ましくは、管は、流体弁に自由に挿入される。
【００７０】
好ましくは、第３の流体弁、第４の流体弁、および前記第５の流体弁は、
第３の弁本体、第４の弁本体、および第５の弁本体であって、
前記第３の流体弁の前記第３の弁本体は、少なくとも２つの第３のポートを含み、
前記第４の流体弁の前記第４の弁本体は、少なくとも２つの第４のポートを含み、
前記第５の流体弁の前記第５の弁本体は、少なくとも２つの第５のポートを含む、第３の弁本体、第４の弁本体、および第５の弁本体と、
弁本体の第３のライニング、第４のライニング、および第５のライニングであって、
前記第１の弁の前記第３の弁本体の前記第３のライニングは、前記２つの第３のポートの軸に沿って配置された少なくとも２つの開口部（３３１、３３２）を含み、
前記第４の弁の前記弁本体の前記第４のライニングは、前記２つの第４のポートの軸に沿って配置された少なくとも２つの開口部を含み、
前記第５の弁の前記弁本体の前記第５のライニングは、前記２つの第５のポートの軸に沿って配置された少なくとも２つの開口部を含む、第３のライニング、第４のライニング、および第５のライニングとを含む。
【００７１】
好ましくは、前記第１、第２、第３、および第４の管は、前記流体弁の弁本体の間に密閉接続を形成する。
【００７２】
例えば、前記圧縮手段は、前記流体弁間の管を塞いで圧縮するように配置された調節可能なクランプである。
【００７３】
例えば、前記圧縮手段は、前記流体弁間の管を塞いで圧縮するように配置されたクランプである。
【図面の簡単な説明】
【００７４】
本発明のこれらの態様、ならびに他の態様は、図面の図を参照しながら、本発明の特定の実施形態の詳細な説明において明らかにされるであろう。
【００７５】
【図１】４つの管によって接続された５つの弁のアセンブリの斜視図を示し、アセンブリは圧縮手段によって圧縮されており、本発明に係る一実施形態に対応する。
【図２】本発明に係る圧縮手段の２つの端部間に管の弁を組み立てる方法を示す分解斜視図である。
【図３】本発明に係る第１の管によって接続された第１および第２の流体弁の断面図を示す。
【００７６】
図面の図は、一定の縮尺ではない。一般的に、図面において類似の要素には類似の参照符号が付されている。図面を参照するための番号の存在は、これらの番号が特許請求の範囲に示されている場合を含めて、限定的であると見なされ得ない。
【発明を実施するための形態】
【００７７】
図１は、本発明に係る流体連通のためのシステムおよび少なくとも２つの流体弁を接続するための方法の一実施形態の一例を示す。管によって少なくとも２つの流体弁を接続する方法は、少なくとも２つの流体弁を提供することを必要とする。流体弁は、それらの様々な開口部間の流体の流量の制御を可能にする弁である。流体弁は、その様々なポート間の流体接続の制御を可能にする弁である。例えば、それらは、第１のポートと第２のポートとの間の流体の流量のＯＮ／ＯＦＦ制御を可能にする。３つ以上のポートを有するＳｔｏｐｃｏｃｋ弁は、例えば、２つの出口ポートのうちの１つを選択して入口ポートから始めることを可能にする。本発明のシステムおよび方法では、三方Ｔ字弁を使用するのが好ましい。化学または薬物合成における使用のためには、不活性壁を有する弁が好ましい。例えば、内壁がＰＴＦＥ（ポリテトラフルオロエチレン）からなる弁本体を有する弁や、ＰＴＦＥから作られた弁部材が用いられる。流体弁を互いに流体的に密閉して接続するために使用される管は、化学的に不活性な材料でできていることが好ましく、例えばＰＥＥＫ（ポリ（エーテルエーテルケトン））製である。流体弁を互いに接続するために使用される管は、弁本体の可撓性よりも低い可撓性を有する材料で作られるのが好ましい。流体弁を互いに接続するために、少なくとも１つの管が第１の流体弁のポートのうちの１つに挿入される。図３に示すように、流体弁のポートは、弁本体のライニング内の開口部と、弁本体内の開口部とを有する。弁本体内の開口部は、例えば、ねじ付き要素を受容するために弁本体のライニングに雌ねじを有する。弁本体のライニングの開口径は、弁本体の開口径よりも大きい。したがって、管が流体弁の開口部に挿入されると、管は弁本体のライニングの開口部に挿入されるので、管は弁本体に対して止められ、横方向に維持される。単独で接触している流体弁および管の配置は、不透過性を得ることを可能にしない。管および流体弁に十分な圧縮力が作用すると、密閉接続を生成することが可能になる。得られた接続は、好ましくは１×１０−２Ｐａ〜１×１０６Ｐａの圧力、より好ましくは１×１０−１Ｐａ〜５×１０５Ｐａの圧力では、液体または気体に対して不透過性である。密閉手段を追加することなく良好なシールが得られる。密閉手段は、例えば平らな接合部またはＯリングである。流体連通のためのシステムは、例えば接着剤またはシリコーン接合部などの永久的な接合部を含まない。管と弁にかかる圧力により、良好な密閉が得られる。加えられた圧力は、管と弁本体が接触し続けることを可能にし、管が弁本体に対して圧縮されることを可能にする。流体弁の弁本体を形成する材料間の可撓性の相違は、このように密閉接続を生成することによって管が弁本体の材料内にわずかに侵入することを可能にする。材料間の可撓性の違いは、材料のヤング率に基づいて材料を選択することによって得られる。ヤング率が小さいほど、材料は可撓性が高くなる。したがって、管に使用される材料は、ヤング率の弁本体よりもヤング率が大きくなる。２つの弁間の中心間距離の決定には、管の両側の弁本体への管の侵入を考慮する必要がある。所望の中心間距離および管の長さは、達���されるべき侵入、したがって第１の圧縮手段によって印加されるべき力を決定する。管の端部の弁本体への侵入は、好ましくは０．０１ｍｍ〜０．２ｍｍの間、より好ましくは０．０２５ｍｍ〜０．１ｍｍの間、そして好ましくは０．０５ｍｍである。高圧での不透過性を保証しない侵入が少なすぎると、そして侵入が多すぎると、流体弁が損傷する可能性がある。管の端部の侵入は、流体アセンブリ全体にわたって均一に分布している。
【００７８】
異なる内径および外径を有する管を使用することができる。使用される１つの外管直径は、好ましくは３ｍｍ〜２０ｍｍの間、より好ましくは５ｍｍ〜１５ｍｍの間である。使用される１つの内管直径は、好ましくは０．２ｍｍ〜１８ｍｍの間、より好ましくは０．５ｍｍ〜５ｍｍの間である。
【００７９】
例えば、内径１．５ｍｍ、外径５ｍｍ、長さ２１．３ｍｍの管である。
【００８０】
図２は、本発明に係る流体連通のためのシステムおよび少なくとも２つの流体弁を接続するための方法の一実施形態の一例を示す。流体連通のためのシステムは、管の両端を２つの異なる弁の開口部に挿入することによって組み立てられ、例えば、第１の管は第１の弁の開口部および第２の弁の開口部に挿入される。本明細書では、管が弁の開口部に挿入されるという事実、または弁がその開口部の１つを介して管に嵌合されるという事実は、管が弁のポートのうちの１つの開口部のうちの１つに挿入されるという事実によって説明される。
【００８１】
流体アセンブリは、圧縮手段に加えて、２つの弁と１つの管、３つの弁と２つの管、４つの弁と３つの管、５つの弁と４つの管、そして最大１５の弁と１４の管からなることが可能である。流体連通のためのシステムを形成するために弁を接続する管は、断面を有するのが好ましい。流体連通のためのシステムを形成するために弁を接続する管は、好ましくは１０ｍｍ〜１００ｍｍの間の長さ、より好ましくは１５ｍｍ〜５０ｍｍの間の長さを有する。本発明に係る流体連通のための同じシステムの管は、例えば異なる長さを有する。例えば、第１の流体弁と第２の流体弁との間の第１の管は３０ｍｍの長さを有し、第２の流体弁と第３の流体弁との間の第２の管７０は４５ｍｍの長さを有する。
【００８２】
図２に記載の実施形態では、４つの管（６０；７０；８０；９０）を介して５つの流体弁（１０；２０；３０；４０；５０）を互いに接続するために、流体連通のためのシステム１００が組み立てられる。第１の圧縮手段１は、中空形材４と、流体弁（１０；２０；３０；４０；５０）および管（６０；７０；８０；９０）の中空形材４内側での圧縮を可能にする第１の端部２および第２の端部３とを含む。第１の端部２および第２の端部３により、中空形材４を両側で栓をすることができ、固定手段５を介して流体弁および管を圧縮することができる。次に、流体弁（１０；２０；３０；４０；５０）および管（６０；７０；８０；９０）を形材に交互に挿入する。したがって、第５の流体弁５０は、中空形材に挿入される。次に、第４の管９０の第２の端部９２を第５の流体弁５０の第２のポート５２の開口部５５２に挿入する。次に、第４の流体弁４０が挿入され、その第１のポート４１の開口部４４１を介して、第４の管９０の第１の端部９１に嵌合される。次に、第３の管８０の第２の端部８２を第４の流体弁４０の第２のポート４２の開口部４４２に挿入する。次に、第３の流体弁３０が挿入され、その第１のポート３１の開口部３３１を介して、第３の管８０の第１の端部８１に嵌合する。次に、第２の管７０の第２の端部７２を第３の流体弁３０の第２のポート３２の開口部３３２に挿入する。次に、第２の流体弁２０が挿入され、その第１のポート２１の開口部２２１を介して、第２の管７０の第１の端部７１に嵌合する。次に、第１の管６０の第２の端部６２を第２の流体弁２０の第２のポート２２の開口部２２２に挿入する。次に、第１の流体弁１０が挿入され、その第１のポート１１の開口部１１１を介して、第２の管６０の第１の端部６１に嵌合する。５つの流体弁および４つの管の中空形材４内への設置後、第１の端部２は固定手段５を介して中空形材４に固定される。第１の端部２の固定は、流体弁と管との間の密閉接続を保証するために５つの弁と４つの管を圧縮することを可能にする。固定手段５は、例えば、ねじである。固定手段５は、流体弁と管のアセンブリに加わる圧縮力を変えることを可能にする。例えば、ねじ５は、端部２および３を形成するプレートが中空形材４と接触するように締め付けられる。端部に位置する流体弁、好ましくは第１の流体弁１０および第５の流体弁５０の２つの端部２および３によって加えられる圧力により、流体連通のためにシステム１００内部の各要素に等しい圧力を得ることができる。端部２、３を形成するプレートが中空形材４と接触するときの中空形材４の長さは、適当な長さだけ管を弁本体内に侵入させる。
【００８３】
図３は、本発明に係る方法の一実施形態の一例を示す。管を介して少なくとも２つの流体弁を不透過的に接続する方法は、各流体弁と管との間の密閉接続を必要とする。管の両側の２つの流体弁を圧縮することにより、管を２つの流体弁の間に維持することが可能になる。管６０の周りの２つの流体弁１０および２０の圧縮はまた、管６０と２つの弁本体１５および２５との間の密閉接続を可能にする。弁本体１５および２５に使用される材料は、管６０に使用される材料よりも可撓性が高い。弁本体と管との間の可撓性の差は、同じ印加圧力に対して管よりも弁本体のより大きな変形を可能にする。実際、弁本体および管は、それらの弾性率に比例して変形する。したがって、管は、弁本体の弾性率よりもはるかに大きい弾性率を有する。したがって、これは、同じ圧力を受けたときに、管６０の周りで弁１５および２５が圧縮されている間、弁本体の材料の可撓性を介して管がわずかに弁本体内に入り込むことを意味する。弁本体のわずかな変形は、弁本体と管との間に密閉接続を作り出す。例えば、管は金属製である。好ましくは、管は、化学的に不活性な材料から製造される。好ましくは、管はポリマー製であり、さらにより好ましくは、管はポリ（エーテルエーテルケトン）（ＰＥＥＫ）製である。弁本体は、化学的に不活性な材料から製造される。好ましくは、弁本体はポリマーから製造され、さらにより好ましくは、弁本体はポリ（テトラフルオロエチレン）（ＰＴＦＥ）から製造される。
【００８４】
管は、前記管が各弁１０、２０のポート１１、２１の開口部１１１、２２１に挿入されているので、２つの弁の間で横方向に維持される。弁本体へのアクセスを可能にする開口部１１１および２２１により、管を弁本体と接触状態に保つことが可能になる。管が開口部１１１および２２１に挿入された後で、かつ流体弁１０および２０の周りに圧力が加えられるとすぐに、弁本体と接触した管の維持が行われる。管６０と流体弁との間の密閉接続は、継ぎ目または接着剤のような密閉手段なしで得られる。密閉接続は、例えば、分解されて洗浄された弁および管を使用することによって得られる。本発明に係る方法は、分解されて洗浄された流体弁および管の使用を可能にする。
【００８５】
流体アセンブリの良好な不透過性は、管の正しい切断によって保証され、管の切断面は滑らかで、管の軸に対して垂直でなければならない。弁の開口部の底部は、互いに平行であり、管の切断面に対して垂直であることが好ましい。管によって接続された２つの隣接する弁の開口部は、共線的であることが好ましい。管と弁開口部の底部との弾性率の差は、例えば、管の位置決めおよび切断において起こり得る欠陥の補償を可能にする。管のより容易な位置決めを可能にするために、弁の開口部の直径よりもわずかに小さい外径を有する管の選択が好ましい。
【００８６】
図４は、第１の方向Ｘおよび第２の方向Ｙにおける流体アセンブリを示す。この実施形態は、第１の方向Ｘおよび第２の方向Ｙにおける流体弁および管からなる拡張流体アセンブリの作製を可能にする。本発明に係るこの実施形態は、図１および図２に記載されているように複数の要素の流体接続を含む。第１の方向Ｘのみの流体アセンブリは、一列の流体弁と呼ばれ、流体弁と管とのアセンブリを含む。この実施形態は、様々な列間の流体連通を可能にするために、複数列の流体弁および管を接続することを可能にする。この実施形態は、好ましくは、第１の方向Ｘに複数の圧縮手段と、第２の方向Ｙに少なくとも１つの圧縮手段とを備える。
【００８７】
流体弁の第１列と第２列との間の流体接続を可能にするために、中空形材は、その下面に開口部を有する流体弁とその上面に開口部を有する流体弁との間の管の通過を可能にするオリフィスを含む。中空形材のオリフィスは、管の外径より広いのが好ましい。第２の方向Ｙにおいて２列の流体弁を正しく組み立てることを保証するために、少なくとも２つの管が第１列と第２列との間に配置されるのが好ましい。例えば、管は、２つの流体弁間の流体連通を可能にすることなく２列の流体弁間の中心間距離を保証するために位置決めすることができる。
【００８８】
可撓性の管は、例えば、２つの異なる列に配置された弁間の連通を可能にすることができる。可撓性の管は、例えば、３つの異なる列に配置された弁間の連通を可能にすることができる。
【００８９】
好ましくは、それぞれが第１の方向Ｘに圧縮手段を含む２列は、可撓性の管を介して互いに流体的に接続することができる。例えば、可撓性の管は、第１の列の流体弁のポートを第２の列の流体弁のポートに接続することができる。例えば、複数列の流体弁を可撓性の管によって流体的に接続することができる。好ましくは、複数の列が流体的に接続されているという事実は、必ずしも第２の方向Ｙに圧縮手段を必要としない。
【００９０】
第１、第２、および第３列の流体弁は、それぞれ５つの流体弁を含むことができる。第２の方向Ｙに圧縮手段によって流体的に互いに接続された３列は、１５個の流体弁を含む流体連通のためのシステム１００を形成する。流体連通のためのシステム１００はまた、例えば可撓性の管を介して第２の方向Ｙに圧縮手段なしで作ることができる。可撓性の管は、ねじ付きノズルを備えた管の端部を介して流体的に且つ密閉的に流体弁に接続される。可撓性の管は、ねじ山なしで密閉流体接続を可能にするノズルを有することもできる。第１の列の流体弁は、図１および図２に記載の通りである。第２の列の流体弁は、第７の管１６０、第８、第９、および第１０の管によって互いに接続された第６の流体弁１２０、第７の流体弁１３０、第８、第９、および第１０の流体弁を含み、これらの流体弁および管は、第３の圧縮手段６０１によって圧縮されている。第３の列の流体弁は、第１１、第１２、第１３、および第１４の管によって互いに接続され、第１の方向Ｘにおいて第４の圧縮手段によって圧縮された第１１、第１２、第１３、第１４、および第１５の流体弁を含む。
【００９１】
例えば、第１の列に含まれる第３の流体弁は、可撓性の管を介して第３の列に含まれる第５の流体弁に流体的に接続することができる。可撓性の管をこの場合に使用することができ、または剛性の高い管が第２の圧縮手段５０１を介して第２の方向Ｙに流体接続を形成する。
【００９２】
第２の圧縮手段５０１は、第２の方向Ｙに少なくとも２つの流体弁と少なくとも１つの管との間に圧縮力を印加することを可能にする。第１の圧縮手段１、第２の圧縮手段５０１、および第３の圧縮手段６０１は、第１および第２の方向ＸおよびＹに同時に圧縮力を加えることを可能にする。
【００９３】
この実施形態は、流体弁のメッシュの形成を可能にし、流体弁間の接続は、各流体弁のポートの数、近くの弁に対するポートの位置、および弁の種類（例えば、弁用のＴ字弁またはＬ字弁は３つのポートを有する）に応じて選択され得る。作成されたこのモードは、例えばシリンジまたは可撓性の管をそれに接続することができるようにするために特定のポートにアクセス可能なままにすることを可能にする。
【００９４】
本発明は、特定の作成のモードに関して説明したが、それらは純粋に例示的な値を有し、限定的であると見なされるべきではない。一般的に、本発明は、上に例示および／または記載された例に限定されない。動詞「含む（ｃｏｍｐｒｉｓｅ）」、「含む（ｉｎｃｌｕｄｅ）」、または他のあらゆる変形、ならびにそれらの活用形の使用は、言及されたもの以外の要素の存在を決して排除することはできない。要素を紹介するための不定冠詞「ａ」、「ａｎ」、または定冠詞「ｔｈｅ」の使用は、これらの要素が複数存在することを排除するものではない。請求項中の参照番号はそれらの範囲を限定しない。
【００９５】
要約すると、本発明は以下のようにも説明することができる。第１の流体弁および第２の流体弁を含む流体連通のためのシステムを流体的に接続するための方法であって、
第１の流体弁および第２の流体弁を提供するステップと、
第１の管を提供するステップと、
流体アセンブリを形成するために、第１の管の各端部を各流体弁に挿入するステップと、
２つの端部を含む圧縮手段を提供するステップと、
前記圧縮手段の前記２つの端部を前記流体アセンブリの両側に配置するステップと、
圧縮手段を介して前記流体アセンブリへ圧縮力を印加するステップとを含む方法。
【図１】
2020506344.tif 000003
【図２】
2020506344.tif 000004
【図３】
2020506344.tif 000005
【図４】
2020506344.tif 000006
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
第１の方向Ｘに第１の流体弁（１０）と第２の流体弁（２０）とを流体的に接続するための方法であって、
ａ．前記第１の流体弁（１０）および第２の流体弁（２０）を提供するステップであって、
前記第１の流体弁（１０）は、それぞれが外側に向かう開口部（１１１、１１２）を有する少なくとも２つの第１のポート（１１、１２）を含み、
前記第２の流体弁（２０）は、それぞれが外側に向かう開口部（２２１、２２２）を有する少なくとも２つの第２のポート（２１、２２）を含むステップと、
ｂ．第１の端部（６１）と第２の端部（６２）とを有する第１の管（６０）を提供するステップであって、
前記第１の端部（６１）は、前記第１の流体弁（１０）の第１のポート（１１、１２）の開口部（１１１、１１２）に挿入するのに適しており、
前記第２の端部（６２）は、前記第２の流体弁（２０）の第２のポート（２１、２２）の開口部（２２１、２２２）に挿入するのに適しているステップと、
ｃ．流体アセンブリを形成するために、前記第１の管（６０）の前記第１の端部（６１）を前記第１の流体弁（１０）の第１のポート（１１、１２）の開口部（１１１、１１２）に挿入し、前記第１の管（６０）の前記第２の端部（６２）を前記第２の流体弁（２０）の第２のポート（２１、２２）の開口部（２２１、２２２）に挿入するステップと、  ｄ．前記第１の流体弁（１０）、前記第２の流体弁（２０）、及び前記第１の管（６０）を含む前記流体アセンブリを２つの端部（２、３）の間で前記第１の方向Ｘに圧縮するための２つのプレートである前記２つの端部（２、３）と、前記第１および第２の流体弁（１０；２０）を受けるのに適した中空形材（４）と、前記２つのプレートを前記中空形材（４）の２つの端部に固定するための固定手段（５）とを含む第１の圧縮手段（１）を提供するステップと、
ｅ．前記第１の方向Ｘにおいて前記第１の圧縮手段（１）の２つのプレートである前記２つの端部（２、３）を前記流体アセンブリの両側に位置決めするステップと、
ｆ．前記第１の流体弁（１０）と前記第２の流体（２０）との間で前記第１の管（６０）を圧縮するために、前記第１の圧縮手段（１）を介して前記流体アセンブリに前記第１の方向Ｘと平行に圧縮力を印加するステップとを含む方法。
【請求項２】
請求項１に記載の前記ステップを含む方法であって、
ステップａはまた、第６の流体弁（１２０）および第７の流体弁（１３０）が提供され、
前記第６の流体弁（１２０）は、それぞれが外側に向かう開口部を有する少なくとも２つの第６のポートを含み、
前記第７の流体弁（１３０）は、それぞれが外側に向かう開口部を有する少なくとも２つの第７のポートを含むという事実も含み、
ステップｂはまた、第５の管（１４０）および第６の管（１５０）が提供され、
前記第５の管（１４０）は、第１の端部（１４１）と第２の端部（１４２）とを有し、  前記第５の管（１４０）の前記第１の端部（１４１）は、前記第１の流体弁（１０）の第１のポート（１１、１２）の開口部（１１１、１１２）に挿入されるのに適しており、  前記第２の管（１４０）の前記第２の端部（１４２）は、前記第６の流体弁（１２０）の第６のポートの開口部に挿入されるのに適しており、
前記第６の管（１５０）は、第１の端部（１５１）と第２の端部（１５２）とを有し、  前記第６の管（１５０）の前記第１の端部（１５１）は、前記第２の流体弁（２０）の第２のポート（２１、２２）の開口部（２２１、２２２）に挿入されるのに適しており、  前記第６の管（１５０）の前記第２の端部（１５２）は、前記第７の流体弁（１３０）の第７のポートの開口部に挿入されるのに適しており、
前記第７の管（１６０）は、第１の端部（１６１）と第２の端部（１６２）とを有し、  前記第７の管（１６０）の前記第１の端部（１６１）は、前記第６の流体弁（１２０）の第６のポートの開口部に挿入されるのに適しており、
前記第７の管（１６０）の前記第２の端部（１６２）は、前記第７の流体弁（１３０）の第７のポートの開口部に挿入するのに適しているという事実も含み、
ステップｃはまた、拡張流体アセンブリを形成するために、
前記第５の管（１４０）の前記第１の端部（１４１）は、前記第１の流体弁（１０）の第１のポート（１１、１２）の開口部（１１１、１１２）に挿入され、前記第５の管（１４０）の前記第２の端部（１４２）は、前記第６の流体弁（１２０）の第６のポートの開口部に挿入されており、
前記第６の管（１５０）の前記第１の端部（１５１）は、前記第２の流体弁（２０）の第２のポート（２１、２２）の開口部（２２１、２２２）に挿入され、前記第６の管（１５０）の前記第２の端部（１５２）は、前記第７の流体弁（１３０）の第７のポートの開口部に挿入されており、
前記第７の管（１６０）の前記第１の端部（１６１）は、前記第６の流体弁（１２０）の第６のポートの開口部に挿入され、前記第７の管（１６０）の前記第２の端部（１６２）は、前記第７の流体弁（１３０）の第７のポートの開口部に挿入されているという事実を含み、
ステップｄはまた、
２つの端部を含む第２の圧縮手段（５０１）であって、前記２つの端部間で前記拡張流体アセンブリを第２の方向Ｙに圧縮するための第２の圧縮手段（５０１）と、
２つの端部を含む第３の圧縮手段（６０１）であって、前記第６の流体弁（１２０）、第７の流体弁（１３０）、および第７の管（１７０）を前記２つの端部間で前記第１の方向Ｘに圧縮するための第３の圧縮手段（６０１）とが提供されるという事実を含み、
ステップｅはまた、
前記第２の圧縮手段（５０１）の前記２つの端部は、前記第２の方向Ｙにおいて前記拡張流体アセンブリの両側に配置され、
前記第３の圧縮手段（６０１）の前記２つの端部は、前記第１の方向Ｘにおいて前記第６の流体弁（１２０）、第７の流体弁（１３０）、および第７の管（１７０）の両側に配置されるという事実を含み、
ステップｆはまた、前記第５の管（１４０）および第６の管（１５０）を、それぞれ前記第１の流体弁（１０）と第６の流体弁（１２０）、および前記第２の流体弁（２０）と第７の流体弁（１３０）とともに圧縮するために、前記第２の圧縮手段（５０１）を介して前記第２の方向Ｙに平行に圧縮力が前記拡張流体アセンブリに印加されるという事実を含むことを特徴とする請求項１に記載の方法。
【請求項３】
ステップａはまた、第３の流体弁（３０）、第４の流体弁（４０）、および第５の流体弁（５０）が提供され、
前記第３の流体弁（３０）は、それぞれが外側に向かう開口部（３３１、３３２）を有する少なくとも２つの第３のポート（３１、３２）を含み、
前記第４の流体弁（４０）は、それぞれが外側に向かう開口部（４４１、４４２）を有する少なくとも２つの第４のポート（４１、４２）を含み、
前記第５の流体弁（５０）は、それぞれが外側に向かう開口部（５５１、５５２）を有する少なくとも２つの第５のポート（５１、５２）を含むという事実を含み、
ステップｂはまた、第２の管（７０）、第３の管（８０）、および第４の管（９０）が提供され、
前記第２の管（７０）は、第１の端部（７１）および第２の端部（７２）を有し、
前記第２の管（７０）の前記第１の端部（７１）は、前記第２の流体弁（２０）の第２のポート（２１、２２）の開口部（２２１、２２２）に挿入されるのに適しており、
前記第２の管（７０）の前記第２の端部（７２）は、前記第３の流体弁（３０）の第３のポート（３１、３２）の開口部（３３１、３３２）に挿入されるのに適しており、
前記第３の管（８０）は、第１の端部（８１）および第２の端部（８２）を有し、
前記第３の管（８０）の前記第１の端部（８１）は、前記第３の流体弁（３０）の第３のポート（３１、３２）の開口部（３３１、３３２）に挿入されるのに適しており、
前記第２の管（８０）の前記第２の端部（８２）は、前記第４の流体弁（４０）の第４のポート（４１、４２）の開口部（４４１、４４２）に挿入されるのに適しており、
前記第４の管（９０）は、第１の端部（９１）および第２の端部（９２）を有し、
前記第４の管（９０）の前記第１の端部（９１）は、前記第４の流体弁（４０）の第４のポート（４１、４２）の開口部（４４１、４４２）に挿入されるのに適しており、
前記第４の管（９０）の前記第２の端部（９２）は、前記第５の流体弁（５０）の第５のポート（５１、５２）の開口部（５５１、５５２）に挿入されるのに適しているという事実を含み、
ステップｃはまた、前記流体アセンブリを形成するために、
前記第２の管（７０）の前記第１の端部（７１）は、前記第２の流体弁（２０）の第２のポート（２１、２２）の開口部（２２１、２２２）に挿入され、前記第２の管（７０）の前記第２の端部（７２）は、前記第３の流体弁（３０）の第３のポート（３１、３２）の開口部（３３１、３３２）に挿入され、
前記第３の配管（８０）の前記第１の端部（８１）は、前記第３の流体弁（３０）の第３のポート（３１、３２）の開口部（３３１、３３２）に挿入され、前記第３の配管（８０）の前記第２の端部（８２）は、前記第４の流体弁（４０）の第４のポート（４１、４２）の開口部（４４１、４４２）に挿入され、
前記第４の配管（９０）の前記第１の端部（９１）は、前記第４の流体弁（４０）の第４のポート（４１、４２）の開口部（４４１、４４２）に挿入され、前記第４の配管（９０）の前記第２の端部（９２）は、前記第５の流体弁（５０）の第５のポート（５１、５２）の開口部（５５１、５５２）に挿入されるという事実を含むことを特徴とする請求項１又は２に記載の方法。
【請求項４】
流体アセンブリであって、
第１の方向Ｘの第１の流体弁（１０）および第２の流体弁（２０）であって、
前記第１の流体弁（１０）は、それぞれが外側に向かう開口部（１１１、１１２）を有する２つの第１のポート（１１、１２）を含み、
前記第２の流体弁（２０）は、それぞれが外側に向かう開口部（２２１、２２２）を有する２つの第２のポート（２１、２２）を含む第１の流体弁（１０）および前記第２の流体弁（２０）と、
第１の管（６０）であって、
第１の端部（６１）と第２の端部（６２）を有し、
前記第１の管（６１）の前記第１の端部は、前記第１の流体弁（１０）の第１のポート（１１、１２）の開口部（１１１、１１２）に収容され、前記第１の管（６２）の前記第２の端部は、前記第２の流体弁（２０）の第２のポート（２１、２２）の開口部（２２１、２２２）に収容されるように、前記第１の流体弁（１０）と第２の流体弁（２０）の間に配置されている第１の管（６０）とを含む流体アセンブリと、
前記流体アセンブリに機械的に連結された第１の圧縮手段（１）であって、
前記流体弁（１０；２０）を受けるのに適した中空形材（４）と、
前記流体アセンブリの両側に配置される２つの端部（２、３）であって、前記形材（４）内の前記流体弁（１０、２０）と、前記第１の流体弁（１０）と前記第２の流体弁（２０）との間の前記第１の管（６０）とを、前記第１の方向Ｘにおいて圧縮するのに適している２つの端部（２、３）と、
前記第１の圧縮手段（１）の前記端部（２、３）を前記形材（４）に固定するための手段（５）とを含む第１の圧縮手段（１）と、
を含む流体連通のためのシステム（１００）。
【請求項５】
前記第１の流体弁（１０）および第２の流体弁（２０）は、
第１の弁本体（１５）および第２の弁本体（２５）であって、
前記第１の流体弁（１０）の前記第１の弁本体（１５）は、２つの第１のポート（１１、１２）を含み、
前記第２の流体弁（２０）の前記第２の弁本体（２５）は、２つの第２のポート（２１、２２）を含む第１の弁本体（１５）および第２の弁本体（２５）と、
第１の弁本体ライニング（１４）および第２の弁本体ライニング（２４）であって、  前記第１の弁（１０）の前記弁本体（１５）の前記第１の弁本体ライニング（１４）は、前記２つの第１のポート（１１、１２）を中心とする２つの開口部（１１１、１１２）を含み、
前記第２の弁（２０）の前記弁本体（２５）の前記第２の弁本体ライニング（２４）は、前記２つの第２のポート（２１、２２）を中心とする２つの開口部（２２１、２２２）を含む第１の弁本体ライニング（１４）および第２の弁本体ライニング（２４）とをそれぞれ含むことを特徴とする、請求項４に記載の流体連通のためのシステム（１００）。
【請求項６】
前記第１の弁本体（１５）および第２の弁本体（２５）は、プラスチック材料で作られていることを特徴とする、請求項５に記載の流体連通のためのシステム（１００）。
【請求項７】
前記第１の弁本体（１５）および第２の弁本体（２５）は、溶媒に耐性のあるポリマーで作られていることを特徴とする、請求項５に記載の流体連通のためのシステム（１００）。
【請求項８】
前記弁本体（１５；２５）の材料は、前記第１の管（６０）の材料よりも可撓性が高いことを特徴とする、請求項５に記載の流体連通のためのシステム（１００）。
【請求項９】
前記管の前記第１および第２の端部と前記第１の弁（１０）および第２の弁（２０）との間の流体接続は、大気圧と５ｘ１０5Ｐａとの間の圧力に対して密閉されることを特徴とする、請求項４〜８のいずれか１項に記載の流体連通のためのシステム（１００）。
【請求項１０】
流体弁を制御するための制御システムをさらに含む、請求項４〜９のいずれか１項に記載の流体連通のためのシステム（１００）。
【請求項１１】
第１および第２の連結手段（１６、２６）と、第１および第２の弁のステム（１７、２７）とをさらに含む流体連通のためのシステム（１００）において、
前記第１の弁のステム（１７）は、前記第１の連結手段（１６）によって流体弁を制御するための前記制御システムに接続されている前記第１の流体弁（１０）の移動を可能にし、
前記第２の弁のステム（２７）は、前記第２の連結手段（２６）によって流体弁を制御するための前記制御システムに接続されている前記第２の流体弁（２０）の移動を可能にすることを特徴とする、請求項４〜１０のいずれか１項に記載の流体連通のためのシステム（１００）。
【請求項１２】
前記流体アセンブリは、
第６の流体弁（１２０）および第７の流体弁（１３０）であって、
前記第６の流体弁（１２０）は、それぞれが外側に向かう開口部を有する少なくとも２つの第６のポートを含み、
前記第７の流体弁（１３０）は、それぞれが外側に向かう開口部を有する少なくとも２つの第７のポートを含む第６の流体弁（１２０）および第７の流体弁（１３０）と、
第５の管（１４０）であって、
第２の方向Ｙに第１の端部（１４１）と第２の端部（１４２）とを有し、
前記第５の管（１４０）の前記第１の端部が、前記第１の流体弁（１０）のポート（１１、１２）の開口部（１１１、１１２）に収容され、前記第５の管（１４２）の前記第２の端部が、前記第６の流体弁（１２０）のポートの開口部に収容されるように、前記第１の流体弁（１０）と第６の流体弁（１２０）との間に配置される第５の管（１４０）と、  第６の管（１５０）であって、
前記第２の方向Ｙに第１の端部（１５１）と第２の端部（１５２）とを有し、
前記第６の管（１５１）の前記第１の端部が、前記第２の流体弁（２０）のポート（２１、２２）の開口部（２２１、２２２）に収容され、前記第６の管（１５２）の前記第２の端部が、前記第７の流体弁（１３０）のポートの開口部に収容されるように、前記第２の流体弁（２０）と第７の流体弁（１３０）との間に配置される第６の管（１５０）と、  第７の管（１６０）であって、
前記第１の方向Ｘに第１の端部（１６１）と第２の端部（１６２）とを有し、
前記第７の管（１６１）の前記第１の端部が、前記第６の流体弁（１２０）のポートの開口部に収容され、前記第６の管（１６２）の前記第２の端部が、前記第７の流体弁（１３０）のポートの開口部に収容されるように、前記第６の流体弁（１２０）と第７の流体弁（１３０）との間に配置される第７の管（１６０）とをさらに含み、
拡張流体アセンブリを形成するために、前記拡張流体アセンブリは、
前記第１の流体弁（１０）および第６の流体弁（１２０）と前記第２の流体弁（２０）および第７の流体弁（１３０）との間で前記第５の管（１４０）および第６の管（１５０）をそれぞれ圧縮するために、前記拡張流体アセンブリに機械的に結合され、前記第２の方向Ｙにおいて前記拡張流体アセンブリの両側に配置された少なくとも２つの端部を含む第２の圧縮手段（５０１）と、
前記第６の流体弁（１２０）と前記第７の流体弁（１３０）との間で前記第７の管（１６０）を圧縮するために、前記第６の流体弁（１２０）、第７の流体弁（１３０）、および第７の管（１６０）に機械的に結合され、前記第１の方向Ｘにおいて前記第６の流体弁（１２０）、第７の流体弁（１３０）、および第７の管（１６０）の両側に配置された少なくとも２つの端部を含む第３の圧縮手段（６０１）とをさらに含み、
前記第６の流体弁（１２０）および第７の流体弁（１３０）は、前記第１の流体弁（１０）および第２の流体弁（２０）と同一の外形寸法を有し、前記第７の管は、前記第１の管（６０）と同一であり、前記第５の管（１４０）と第６の管（１５０）は、互いに同一であることを特徴とする、請求項４〜１１のいずれか１項に記載の流体連通のためのシステム（１００）。
【請求項１３】
前記流体アセンブリは、
第３の流体弁（３０）、第４の流体弁（４０）、および第５の流体弁（５０）であって、
前記第３の流体弁（３０）は、それぞれが外側に向かう開口部（３３１、３３２）を有する少なくとも２つの第３のポート（３１、３２）を含み、
前記第４の流体弁（４０）は、それぞれが外側に向かう開口部（４４１、４４２）を有する少なくとも２つの第４のポート（４１、４２）を含み、
前記第５の流体弁（５０）は、それぞれが外側に向かう開口部（５５１、５５２）を有する少なくとも２つの第５のポート（５１、５２）を含む、第３の流体弁（３０）、第４の流体弁（４０）、および第５の流体弁（５０）と、
第２の管（７０）であって、
第１の端部（７１）と第２の端部（７２）とを有し、
前記第２の管の前記第１の端部（７１）は、前記第２の流体弁（２０）の第１のポート（２１）の開口部（２２１）に収容され、前記第２の管の前記第２の端部（７２）は、前記第３の流体弁（３０）の第２のポート（３２）の開口部（３３２）に収容されるように、前記第２の流体弁（２０）と第３の流体弁（３０）との間に配置される第２の管（７０）と、
第３の管（８０）であって、
第１の端部（８１）と第２の端部（８２）とを有し、
前記第３の管の前記第１の端部（８１）は、前記第３の流体弁（３０）の第１のポート（３１）の開口部（３３１）に収容され、前記第３の管の前記第２の端部（８２）は、前記第４の流体弁（４０）の第２のポート（４２）の開口部（４４２）に収容されるように、前記第３の流体弁（３０）と第４の流体弁（４０）との間に配置される第３の管（８０）と、
第４の管（９０）であって、
第１の端部（９１）と第２の端部（９２）とを有し、
前記第４の管（９１）の前記第１の端部は、前記第４の流体弁（４０）の第１のポート（４１）の開口部（４４１）に収容され、前記第４の管の前記第２の端部（９２）は、前記第５の流体弁（５０）の第２のポート（５２）の開口部（５５２）に収容されるように、前記第４の流体弁（４０）と第５の流体弁（５０）との間に配置される第４の管（９０）とをさらに含み、
前記第３の流体弁（３０）、第４の流体弁（４０）、および第５の流体弁（５０）は、前記第１の流体弁（１０）および第２の流体弁（２０）と同一であり、前記第２の管（７０）、第３の管（８０）、および第４の管（９０）は、前記第１の管（６０）と同一であることを特徴とする請求項４〜１２のいずれか１項に記載の流体連通のためのシステム（１００）。
【請求項１４】
前記管（６０、７０、８０、９０）は、前記流体弁（１０、２０、３０、４０、５０）内に自由に挿入されることを特徴とする、請求項１３に記載の流体連通のためのシステム（１００）。
【請求項１５】
前記第３の流体弁（３０）、第４の流体弁（４０）、および前記第５の流体弁（５０）は、
第３の弁本体（３５）、第４の弁本体（４５）、および第５の弁本体（５５）であって、
前記第３の流体弁（３０）の前記第３の弁本体（３５）は、少なくとも２つの第３のポート（３１、３２）を含み、
前記第４の流体弁（４０）の前記第４の弁本体（４５）は、少なくとも２つの第４のポート（４１、４２）を含み、
前記第５の流体弁（５０）の前記第５の弁本体（５５）は、少なくとも２つの第５のポート（５１、５２）を含む、第３の弁本体（３５）、第４の弁本体（４５）、および第５の弁本体（５５）と、
弁本体の第３のライニング（３４）、第４のライニング（４４）、および第５のライニング（５４）であって、
前記第１の弁（３０）の前記第３の弁本体（３５）の前記第３のライニング（３４）は、前記２つの第３のポート（３１、３２）の軸に沿って配置された少なくとも２つの開口部（３３１、３３２）を含み、
前記第４の弁（４０）の前記弁本体（４５）の前記第４のライニング（３４）は、前記２つの第４のポート（４１、４２）の軸に沿って配置された少なくとも２つの開口部（４４１、４４２）を含み、
前記第５の弁（５０）の前記弁本体（５５）の前記第５のライニング（５４）は、前記２つの第５のポート（５１、５２）の軸に沿って配置された少なくとも２つの開口部（５５１、５５２）を含む、第３のライニング（３４）、第４のライニング（４４）、および第５のライニング（５４）とを含むことを特徴とする、請求項１３又は１４に記載の流体連通のためのシステム（１００）。
【国際調査報告】
2020506344.tif 000007
2020506344.tif 000008
2020506344.tif 000009